(57)【特許請求の範囲】
【請求項１】
表示部を有する表示板と、この表示板の前方に配置され表示板の可視領域を定める略筒状の開口部を有する覆い部材と、前記可視領域外の前記開口部周囲に設けられ、前記開口部の変形を矯正あるいは防止する変形矯正手段とを備えたことを特徴とする表示装置。
【請求項２】
表示部を有する表示板と、この表示板の前方に配置され表示板の可視領域を定める略筒状の開口部を有する覆い部材と、前記表示板の背後に配置される支持部材と、前記可視領域外の前記開口部周囲に設けられ、前記開口部の変形を矯正あるいは防止する変形矯正手段とを備えたことを特徴とする表示装置。
【請求項３】
前記表示部が前記開口部近傍に沿って設けられていることを特徴とする請求項１または請求項２に記載の表示装置。
【請求項４】
前記変形矯正手段が前記支持部材に設けられた突出部からなり、この突出部によって前記表示板が位置決めされていることを特徴とする請求項２または請求項３に記載の表示装置。
【請求項５】
前記変形矯正手段が前記覆い部材に設けられた突出部と、前記支持部材に設けられた被挿入部とからなることを特徴とする請求項２から請求項４のいずれか一つに記載の表示装置。
【発明の詳細な説明】
【０００１】
【発明の属する技術分野】
本発明は、例えば車両用の表示装置に関し、特に表示板の前方に配置される覆い部材の変形を矯正あるいは防止した表示装置に関するものである。
【０００２】
【従来の技術】
図１は車両用の表示装置を示し、例えば速度計１と回転計２を備えている。図６に回転計２の断面を示す。硬質な回路基板３と、この回路基板３の裏面側に回路基板３と導通状態で装着され、回路基板３を貫通して前方に延びる回動軸４を有する本体５と、回動軸４の先端側に固着された指針６と、この指針６の後方に配置され指針６の動作に対応する目盛，数字、あるいは指針６の動作とは直接的には無関係な意匠などの表示部（図示せず）を設けた表示板７と、この表示板７の背後であって、表示板７と回路基板３との間に配置され表示板７を支持する支持部材としてのケース８と、回路基板３の裏面側を覆うカバー９と、表示板７の前方に配置され表示板７の可視領域Ｘを定める開口部１０を有する覆い部材としての見返し１１と、見返し１１の前方側を覆う無色透明な透視板１２を備えている。
【０００３】
表示板７は、詳細は図示しないが、無色透明な基板の表面側に表示部となる例えば白色の透過性表示層を形成し、表示部を除いて例えば黒色の地色層を形成してある。この表示部は後述する光源からの光を受けて白色で透過表示する様になっている。なお、非点灯時であっても表示部は白色で視認される。また、ケース８は白色の合成樹脂からなり、表示板７を支持するとともに、回路基板３に実装した光源としての発光ダイオード１３が点灯した際に、発光ダイオード１３からの光をケース８の内面に反射させながら表示板７の裏面側に導き、表示板７に設けた表示部を均一に透過照明させるものである。
【０００４】
見返し１１は黒色の合成樹脂成形品であり、可視領域Ｘ以外の表示板７箇所やケース８は見えないように見返し１１で覆ってある。見返し１１の開口部１０は略円筒状であり、表示板７側から透視板１２側にかけて断面が傾斜した立ち上がり壁１４を有している。この立ち上がり壁１４は図６中、上方が下方より高くしてある。すなわち、開口部１０は透視板１２側の切り口が斜めかつ径大な略円筒であり、下端は円形となっている。これは、透視板１２の前面１２Ａが平らであると外光が前面１２Ａに反射して表示板７に設けた表示部の視認性が低下するため、透視板１２の前面１２Ａを曲面としたものであり、透視板１２の形状に合わせて見返し１１の形状を決めたものである。また見返し１１は、図示しないが周囲に複数の係止片が設けてあり、この係止片がケース８の周縁に設けた係合部に挿入されて見返し１１がケース８に組み付けられている。
【０００５】
【発明が解決しようとする課題】
しかしながら、前記従来例における見返し１１は、立ち上がり壁１４の高さが上下で異なる非対称な立体的形状であるために、見返し１１を射出成形した際の残留応力などによって変形が生じやすい。この変形は比較的剛性の低い立ち上がり壁１４に発生しやすく、見返し１１の開口部１０が要望する真円形状とならない場合がある。また、見返し１１をケース８に組み付けることにより、見返し１１の周縁部はケース８に固定されるが、立ち上がり壁１４はフリーな状態のため、組み付け前は真円形状であっても組み付け後のゆがみが開口部１０に生じて真円形状とならない場合もあり、外観品質が低下してしまう。この様な現象は、表示板７に設けた表示部が特に見返し１１の開口部１０に沿っていた場合、表示部という比較対照箇所が開口部１０の近くにあるために変形が特に目に付きやすい。
【０００６】
本発明はこの様な点に鑑みなされたもので、表示板の前方に配置され表示板の可視領域を定める開口部を有する覆い部材の変形を矯正あるいは防止して外観品質の良い表示装置を提供することを目的とする。
【０００７】
【課題を解決するための手段】
本発明は前記目的を達成するため、表示部を有する表示板と、この表示板の前方に配置され表示板の可視領域を定める略筒状の開口部を有する覆い部材と、前記可視領域外の前記開口部周囲に設けられ、前記開口部の変形を矯正あるいは防止する変形矯正手段とを備えたものである。
【０００８】
また、表示部を有する表示板と、この表示板の前方に配置され表示板の可視領域を定める略筒状の開口部を有する覆い部材と、前記表示板の背後に配置される支持部材と、前記可視領域外の前記開口部周囲に設けられ、前記開口部の変形を矯正あるいは防止する変形矯正手段とを備えたものである。
【０００９】
また、前記表示部が前記開口部近傍に沿って設けられているものである。
【００１０】
また、前記変形矯正手段が前記支持部材に設けられた突出部からなり、この突出部によって前記表示板が位置決めされているものである。
【００１１】
また、前記変形矯正手段が前記覆い部材に設けられた突出部と、前記支持部材に設けられた被挿入部とからなるものである。
【００１２】
【発明の実施の形態】
本発明を、車両用の表示装置を実施形態として説明するが、従来例と基本的な構成は同じため、同一または相当箇所には同一符号を付し、その詳細説明は省略する。図２は図１におけるＡ−Ａ断面で本発明を適用した第１実施形態を示す。また、図３はケース８の面部１５に表示板７が載置された状態を示す。図３に示す様に、速度計１用と回転計２用が一体となった表示板７は図示しないが位置決めされてケース８に支持されている。１６，１６Ａは表示板７に設けられた例えば白色の表示部であり、１６は車両の速度を現す目盛（表示部）で、１６Ａは目盛の周りに設けられた意匠（表示部）である。目盛１６および意匠１６Ａは同心円であり、特に意匠１６Ａは見返し１１の開口部１０（破線で示す）に沿って設けられている。なお、目盛１６および意匠１６Ａは本実施形態では白色であるが、図中では黒色で表す。また、数字など他の表示部は記載を省略してある。
【００１３】
ケース８の面部１５には、変形矯正手段としてのリブ状の突出部１７が一体に設けてある。この突出部１７は図２に示す様に、見返し１１の立ち上がり壁１４の周囲に、設計上、立ち上がり壁１４にほぼ接する位置に複数設けてある。また、突出部１７先端の立ち上がり壁１４側には傾斜面１８を設けて見返し１１をケース８に組み易くしてある。つまり、見返し１１をケース８に組み付ける際に、見返し１１の立ち上がり壁１４下端が突出部１７の先端に当接したとしても、傾斜面１８を設けることによって立ち上がり壁１４が傾斜面１８を伝って所定の位置に定まるようにしてある。なお、突出部１７に対応した表示板７箇所には、突出部１７の大きさより少し大きめの切り欠き１９あるいは角孔２０を設けて、表示板７と突出部１７が干渉しないようにしてある。
【００１４】
この様に構成したことにより、見返し１１の立ち上がり壁１４が変形していて開口部１０が真円形状とならなかった場合でも、見返し１１をケース８に組み付けた際にケース８の面部１５に設けた突出部１７によって立ち上がり壁１４の変形が矯正されて、見返し１１の開口部１０がほぼ真円形状となる。従って、外観的に良好な表示装置が得られる。また、変形していることにより見返し１１をケース８にスムーズに組み付けられない場合であっても、突出部１７の先端に傾斜面１８が設けてあるため、前述したように組み易くなる。また、見返し１１をケース８に組み付けた際に立ち上がり壁１４が変形しようとしても、突出部１７によって変形が防止され、開口部１０の真円形状は維持されたままで外観品質が低下することはない。
【００１５】
また、本実施形態のように表示板７に設けた意匠１６Ａが特に見返し１１の開口部１０に近接し、かつ開口部１０に沿って設けられていて、僅かな変形でしかないが変形が目立ちやすい場合であっても、突出部１７によって立ち上がり壁１４の変形が矯正あるいは変形が防止されるため、外観品質が良い。なお、本実施形態のような意匠１６Ａが設けられていなく、目盛１６が見返し１１の開口部１０に近接し、かつ開口部１０に沿って設けられている表示板であっても同様のことが言える。
【００１６】
なお、突出部１７をケース８の面部１５と一体に設けたが、別体の突出部（例えば略環状部材）を形成し、それを面部１５上に配置して見返し１１の変形を矯正あるいは変形を防止するように構成しても良い。また、表示板７に部分的あるいは環状の突出部を設けて変形を矯正あるいは防止するようにしても良い。
【００１７】
図４は本発明の第２実施形態であり、表示板７がケース８の面部１５に載置された状態を示す部分図である。本実施形態ではケース８の面部１５に設けた数多い突出部１７の中の一部を表示板７の位置決めとして用いた（流用した）ものである。すなわち、図４中、Ｙの符号を付した２箇所の表示板７に設けた切り欠き１９Ａの大きさを突出部１７の外周とほぼ一致させたものであり、他の切り欠き１９や角孔２０は前記第１実施形態と同様に突出部１７の大きさより少し大きめとしてある。なお、他は前記第１実施形態と同様であるため説明は省略する。
【００１８】
この様に構成したことにより、前記第１実施形態と同様に、突出部１７によって見返し１１の変形が矯正あるいは変形が防止されるため、外観品質が良い。さらに、突出部１７の一部をケース８と表示板７との位置決めとして用いることにより、他に位置決め手段を設ける必要がないと共に、一つの物（突出部１７）で複数の部材（表示板７と見返し１１）の位置合わせが可能となり、特に見返し１１の開口部１０と表示板７の表示部との位置精度がより高まる。この点からも外観品質が良い表示装置が得られる。
【００１９】
図５は本発明の第３実施形態を示す。本実施形態は見返し１１の開口部１０近傍の立ち上がり壁１４に変形矯正手段としてのピン状の突出部１７Ａを設け、この突出部１７Ａをケース８の面部１５に設けた変形矯正手段としての被挿入部である丸孔２１に挿入するようにしたものである。突出部１７Ａは、例えば前記第１実施形態で示した突出部１７とほぼ同位置の立ち上がり壁１４裏側に設けてあり、見返し１１をケース８に組み付ける際、表示板７を貫通して丸孔２１に嵌る（挿入される）。丸孔２１の突出部１７Ａ挿入側には傾斜面１８Ａが設けてある。
【００２０】
この様に構成したことにより、見返し１１の立ち上がり壁１４が変形していて開口部１０が真円形状とならなかった場合でも、見返し１１をケース８に組み付けた際に見返し１１の立ち上がり壁１４に設けた突出部１７Ａが丸孔２１に嵌ることによって立ち上がり壁１４の変形が矯正されて、見返し１１の開口部１０がほぼ真円形状となる。従って、外観的に良好な表示装置が得られる。また、見返し１１をケース８に組み付けた際に立ち上がり壁１４が変形しようとしても、突出部１７Ａが丸孔２１に嵌っているために変形が防止され、開口部１０の真円形状は維持されたままで外観品質が低下することはない。また、丸孔２１に傾斜面１８Ａを設けたことによって、前記第１実施形態と同様に、見返し１１がケース８に組み付けやすくなる。
【００２１】
なお、見返し１１は各実施形態の形状に限定されるものではなく、変形しやすいなら如何なる形状であっても適用できる。例えば、見返し１１の開口部１０を略円筒状としたが、円筒状に限らず、略角筒状でも略楕円筒状でも良い。
【００２２】
【発明の効果】
以上、本発明によれば、表示板の前方に配置され表示板の可視領域を定める開口部を有する覆い部材の変形を矯正あるいは防止して外観品質の良い表示装置を提供することができる。
【図面の簡単な説明】
【図１】表示装置の正面図。
【図２】本発明の第１実施形態を示す表示装置の断面図（図１におけるＡ−Ａ断面）。
【図３】同表示装置のケースに表示板を載置した状態を示す正面図。
【図４】同第２実施形態を示しケースに表示板を載置した状態を示す部分正面図。
【図５】同第３実施形態を示す表示装置の断面図。
【図６】従来の表示装置を示す断面図（図１におけるＢ−Ｂ断面）。
【符号の説明】
７  表示板
８  ケース（支持部材）
Ｘ  可視領域
１０  開口部
１１  見返し（覆い部材）
１４  立ち上がり壁
１６  目盛（表示部）
１６Ａ  意匠（表示部）
１７，１７Ａ  突出部（変形矯正手段）
【図１】
0003729400.tif 000002
【図２】
0003729400.tif 000003
【図３】
0003729400.tif 000004
【図４】
0003729400.tif 000005
【図５】
0003729400.tif 000006
【図６】
0003729400.tif 000007